(57)【要約】【課題】医療、介護施設における出入口を閉鎖的なイメージにすることなく、要介護患者などの監視対象者の無断外出を防止することを可能とすると共に、施設から無断で外出してしまった場合における早期発見と捜索を迅速に行うための要介護患者出入監視システム及び要介護患者出入監視・捜索情報提供システムを提供する。【解決手段】医療、介護施設の出入口を通過する通行人が携帯する発信タグの有無を検出してタグ検出信号を発信するタグ検出手段Ａと、通行人の通過を光学的に検知して通過検知信号を発信する通過検知手段Ｂと、タグ検出手段から発信する前記タグ検出信号と通過検知手段から発信する前記通過検知信号とを入力するＮＡＮＤ回路とを備え、前記タグ検出信号と通過検知信号との両信号のうちいずれか一方の信号が入力した際に前記出入口における異常通過発生の警報を動作させ、警報発信時刻及びその経過時間を計測する。【選択図】図１
2008139982.tif 000002
【特許請求の範囲】
【請求項１】
要介護患者等を収容する医療、介護施設の出入口を通過する通行人が携帯する発信タグの有無を検出してタグ検出信号を発信するタグ検出手段と、該出入口を通過する通行人の通過を光学的に検知して通過検知信号を発信する通過検知手段と、タグ検出手段から発信する前記タグ検出信号と通過検知手段から発信する前記通過検知信号とを入力するＮＡＮＤ回路とを備え、前記タグ検出信号と通過検知信号との両方の信号のうち一方の通過検知信号のみが入力した際には、前記出入口における異常通過発生の警報を動作させ、前記両方の信号が入力した際には警報を不動作として前記出入口における通過許可を付与することを特徴とする要介護患者出入監視システム。
【請求項２】
前記ＮＡＮＤ回路を介して異常通過発生を知らせる警報動作信号の発信時刻及びその発信時刻からの経過時間を計測するタイマー手段と計測された前記発信時刻及び経過時間を記録する記録手段と前記発信時刻及び経過時間を施設名と共に関係部所に発信する発信手段とを備えることを特徴とする請求項１記載の要介護患者出入監視システム。
【請求項３】
前記関係部所が出入口監視部門及び患者捜索部門であることを特徴とする請求項２記載の要介護患者出入監視システム。
【請求項４】
前記発信手段は、前記関係部門にネットワークを介して発信時刻及び経過時間を発信することを特徴とする請求項２又は請求項３記載の要介護患者出入監視システム。
【請求項５】
前記出入口に、監視カメラが設置されていることを特徴とする請求項１乃至４のいずれか１項記載の要介護患者出入監視システム。
【請求項６】
要介護患者等を収容する医療、介護施設の出入口を通過する通行人が携帯する発信タグの有無を検出してタグ検出信号を発信するタグ検出手段と、該出入口を通過する通行人の通過を光学的に検知して通過検知信号を発信する通過検知手段と、タグ検出手段から発信する前記タグ検出信号と通過検知手段から発信する前記通過検知信号とを入力するＮＡＮＤ回路とを備え、前記タグ検出信号と通過検知信号との両方の信号のうち一方の通過検知信号のみが入力した際には、前記出入口における異常通過発生の警報を動作させ、前記両方の信号が入力した際には警報を不動作として前記出入口における通過許可を付与するとともに、前記ＮＡＮＤ回路を介して異常通過発生を知らせる警報動作信号の発信時刻及びその発信時刻からの経過時間を計測するタイマー手段と計測された前記発信時刻及び経過時間を記録する記録手段と前記発信時刻及び経過時間を施設名と共に出入口監視部門及び患者捜索部門に発信する発信手段とを備え、該発信手段は、前記患者捜索部門にインターネット又は／及び電話回線を介して、その発信時刻及び経過時間を発信することを特徴とする要介護患者捜索情報提供システム。
【請求項７】
前記出入口に、監視カメラが設置されていることを特徴とする請求項６記載の要介護患者捜索情報提供システム。
【発明の詳細な説明】
【技術分野】
【０００１】
本発明は、要介護患者を収容する養護老人ホームなどの医療施設や介護施設において要介護患者が無断外出することを防止するとともに、万一施設から無断で外出してしまった場合における早期発見と捜索を迅速に行うための要介護患者出入監視システム及び要介護患者捜索情報提供システムである。
【背景技術】
【０００２】
従来の医療施設や介護施設における施設出入監視システムとしては、要介護患者など監視対象者に対して発信器を取り付け、監視対象者が施設の出入口を通過する際に、その通過ゲートにて発信器を検出する監視システムがある。また、携帯ＧＰＳ等を取り付けて監視するシステムもある。また、ＲＦＩＤなどの発信ＩＣタグを監視対象者に携帯させて、監視対象者が施設の出入口を通過する際に、その通過ゲートにてＩＣタグの通過を検出する監視システムがある。
【０００３】
しかしながら、要介護患者など監視対象者に対して、常に発信器を携帯させることは困難であり、ＲＦＩＤなどの発信ＩＣタグの検出は、従来の商品監視システム（ＥＡＳ）等の機器と比較して使用する電波出力が高くなり、医療施設内においては、心臓ペースメーカー等の医療機器への影響が懸念される。
【０００４】
また、鍵を付けたり、社員証システムや通行証システム、駅の改札口等のフラッパー付き出入口等は、医療施設や介護施設では閉鎖的なイメージになるため敬遠されている。
【０００５】
下記に本発明に関連する先行技術文献を記載する。
【特許文献１】実用新案登録第２５６６１８１号公報
【発明の開示】
【発明が解決しようとする課題】
【０００６】
本発明は、医療、介護施設における出入口を閉鎖的なイメージにすることなく、要介護患者などの監視対象者の無断外出を防止することを可能とすると共に、施設から無断で外出してしまった場合における早期発見と捜索を迅速に行うための要介護患者出入監視システム及び要介護患者出入監視・捜索情報提供システムを提供することを目的とする。
【課題を解決するための手段】
【０００７】
本発明の請求項１に係る発明は、要介護患者等を収容する医療、介護施設の出入口を通過する通行人が携帯する発信タグの有無を検出してタグ検出信号を発信するタグ検出手段と、該出入口を通過する通行人の通過を光学的に検知して通過検知信号を発信する通過検知手段と、タグ検出手段から発信する前記タグ検出信号と通過検知手段から発信する前記通過検知信号とを入力するＮＡＮＤ回路とを備え、前記タグ検出信号と通過検知信号との両方の信号のうち一方の通過検知信号のみが入力した際には、前記出入口における異常通過発生の警報を動作させ、前記両方の信号が入力した際には警報を不動作として前記出入口における通過許可を付与することを特徴とする要介護患者出入監視システムである。
【０００８】
本発明の請求項２に係る発明は、上記請求項１に係る要介護患者出入監視システムにおいて、前記ＮＡＮＤ回路を介して異常通過発生を知らせる警報動作信号の発信時刻及びその発信時刻からの経過時間を計測するタイマー手段と計測された前記発信時刻及び経過時間を記録する記録手段と前記発信時刻及び経過時間を施設名と共に関係部所に発信する発
信手段とを備えることを特徴とする要介護患者出入監視システムである。
【０００９】
本発明の請求項３に係る発明は、上記請求項２に係る要介護患者出入監視システムにおいて、前記関係部所が出入口監視部門及び患者捜索部門であることを特徴とする要介護患者出入監視システムである。
【００１０】
本発明の請求項４に係る発明は、上記請求項２又は請求項３に係る要介護患者出入監視システムにおいて、前記発信手段は、前記関係部門にネットワークを介して発信時刻及び経過時間を発信することを特徴とする要介護患者出入監視システムである。
【００１１】
本発明の請求項５に係る発明は、上記請求項１乃至４のいずれか１項に係る要介護患者出入監視システムにおいて、前記出入口に、監視カメラが設置されていることを特徴とする要介護患者出入監視システムである。
【００１２】
本発明の請求項６に係る発明は、要介護患者等を収容する医療、介護施設の出入口を通過する通行人が携帯する発信タグの有無を検出してタグ検出信号を発信するタグ検出手段と、該出入口を通過する通行人の通過を光学的に検知して通過検知信号を発信する通過検知手段と、タグ検出手段から発信する前記タグ検出信号と通過検知手段から発信する前記通過検知信号とを入力するＮＡＮＤ回路とを備え、前記タグ検出信号と通過検知信号との両方の信号のうち一方の通過検知信号のみが入力した際には、前記出入口における異常通過発生の警報を動作させ、前記両方の信号が入力した際には警報を不動作として前記出入口における通過許可を付与するとともに、前記ＮＡＮＤ回路を介して異常通過発生を知らせる警報動作信号の発信時刻及びその発信時刻からの経過時間を計測するタイマー手段と計測された前記発信時刻及び経過時間を記録する記録手段と前記発信時刻及び経過時間を施設名と共に出入口監視部門及び患者捜索部門に発信する発信手段とを備え、該発信手段は、前記患者捜索部門にインターネット、又は／及び、電話回線を介して、その発信時刻及び経過時間を発信することを特徴とする要介護患者捜索情報提供システムである。
【００１３】
本発明の請求項７に係る発明は、上記請求項６に係る要介護患者出入監視・捜索情報提供システムにおいて、前記出入口に、監視カメラが設置されていることを特徴とする要介護患者捜索情報提供システムである。
【発明の効果】
【００１４】
本発明の要介護患者出入監視システムは、要介護患者等を収容する医療、介護施設の出入口を通過する通行人が携帯する発信タグの有無を検出してタグ検出信号を発信するタグ検出手段からのタグ検出信号と、通行人の通過を光学的に検知して通過検知信号を発信する通過検知手段からの通行人の通過及び通過出入方向の検知信号とを入力可能なＮＡＮＤ回路による通過監視装置が設けられている。
【００１５】
例えば、要介護患者が発信タグを携帯せずに無断で施設の出入口を通過した際には、前記通過監視装置には通過検知信号のみが入力してタグ検出信号は入力せず、それによりＮＡＮＤ回路による通過監視装置は警報動作信号を発信して、警報器が動作し、ブザーやサイレンなどの警報音が鳴動して、施設の出入口において発信タグを携帯しない要介護患者による無断通過が発生したことを施設内の監視部門に知らせることができる。
【００１６】
一方、要介護患者が予め発信タグを携帯した付添人と共に施設の出入口を通過した際には、前記通過監視装置にはタグ検出信号と通過検知信号との両方の信号が入力して、それによりＮＡＮＤ回路による通過監視装置は警報動作信号を発信せず、警報器は不動作し、ブザーやサイレンなどの警報音は鳴動せず、正常な通過発生となり、施設の出入口において要介護患者が発信タグを携帯した付添人と共に連れ立って通過したことになる。例えば
単にチャイムなどの軽快音が鳴動して、施設内の監視部門に正常な通過発生であることを知らせることができる。
【００１７】
また本発明の要介護患者捜索情報提供システムは、要介護患者が施設内から無断で外出してしまった場合に、警報の鳴動を確認後、その施設から捜索担当部所や捜索協力部所にインターネットを介して電子メールなどにより、外出時の情報（外出時刻、経過時間、本人の特徴、性別、年齢、服装、顔写真など）等の要介護患者捜索情報を送信提供して、迅速な対応を取ることができる。
【００１８】
このように本発明の要介護患者出入監視システムは、通過許可証としての発信器や発信タグ等を、医療施設や介護施設に入院している監視対象者としての要介護患者には携帯させる必要がなく、監視対象外の要介護患者の看護者や付添人や面会人等に携帯してもらうことにより、施設内の要介護患者の外出や入場を警報により確認して監視することができる。そして、認知症のお年寄りなど介護を必要とする患者の無断外出を未然に防止することができるものである。また、万一、要介護患者が施設内から無断で外出してしまった場合にも、迅速な対応による身柄の捜索と確保を行うことができる。
【００１９】
また、本発明の要介護患者捜索情報提供システムは、要介護患者等を収容する医療、介護施設の出入口を通過する通行人が携帯する発信タグの有無を検出して、タグ検出信号を発信するタグ検出手段からのタグ検出信号と、通行人の通過を光学的に検知して通過検知信号を発信する通過検知手段からの通行人の通過、及び通過出入方向の検知信号とを入力可能なＮＡＮＤ回路と、前記ＮＡＮＤ回路を介して異常通過発生を知らせる警報動作信号の発信時刻、及びその発信時刻からの経過時間を計測するタイマー手段と、計測された前記発信時刻及び経過時間を記録する記録手段と、前記発信時刻及び経過時間を施設名と共に出入口監視部門及び患者捜索部門に発信する発信手段とを備える通過監視装置が設けられている。
【００２０】
要介護患者が発信タグを携帯せずに無断で施設の出入口を通過した際には、前記通過監視装置には通過検知信号のみが入力してタグ検出信号は入力せず、それによりＮＡＮＤ回路による通過監視装置は警報動作信号を発信して警報器が動作し、ブザーやサイレンなどの警報音が鳴動して、施設の出入口において発信タグを携帯しない要介護患者による無断通過が発生したことを施設内の監視部門に知らせることができる。
【００２１】
また、前記ＮＡＮＤ回路を介して異常通過発生を知らせる警報動作信号の発信時刻及びその発信時刻からの経過時間をタイマー手段と記録手段により計測、記録し、前記発信時刻及び経過時間や施設名と共に無断外出した要介護患者本人の特徴などを、発信手段により出入口監視部門及び患者捜索部門にインターネット又は／及び電話回線を介して発信することができる。
【発明を実施するための最良の形態】
【００２２】
本発明の要介護患者出入監視システムの実施の形態について以下に詳細に説明すれば、図１は、要介護患者を受け入れる医療施設や介護施設の出入口に設置される本発明の要介護患者出入監視システムに使用する監視装置の平面図であり、図２は、その監視装置及び監視システムを説明するシステムブロック図である。
【００２３】
図１に示すように、本発明の要介護患者出入監視システムにおける前記監視装置は、その施設の玄関正面入口や通用口等の出入口の施設内側と外側とを連結する通路に設置されていて、出入口を通過する通行人が携帯する通過タグＴ（非接触検出方式のＩＣタグ）の有無を、その通過タグＴの応答信号（固有情報）を検出してタグ検出信号を発信する非接触検出方式のタグ検出手段Ａと、通行人の通過を光学的に検知して通過検知信号を発信す
る通過検知手段Ｂとが配置されている。
【００２４】
前記タグ検出手段Ａは、施設出入口のその通行方向（図示する矢印方向）の通路内の１個所若しくは２個所以上に設置されている。例えば、図１に示すように後述する通過検知手段Ｂの第１通過検知部Ｂ1 と第２通過検知部Ｂ2 とに隣接して設置され、例えば４個所に設置されている。
【００２５】
そしてタグ検出手段Ａは、その施設の出入口を通過する人が携帯する通過タグＴ（ＩＣタグ）に対して読み取り信号を発信し、そのタグＴに記憶されている固有情報（通過許可情報）を読み取ることによりタグ検出信号（通過許可信号）を発信し、固有情報（通過許可情報）を読み取ることができない場合はタグ不検出信号（通過不可信号）を発信するものである。なお本発明において使用する前記タグ検出手段Ａと通過タグＴとは所定周波数の電波信号による非接触検出方式であり、タグ検出手段Ａと通過タグＴとの相互の信号交信可能距離は、その施設の出入口の直前の段階、あるいはその出入口に入った段階で可能となるような至近距離が望ましく、例えば０．５ｍ以内の至近距離、又は０．５ｍ〜１ｍ程度の距離が適当である。
【００２６】
前記通過検知手段Ｂは、施設出入口内における施設内側に相当する位置に、その通路の通行出方向及び通行入方向（図示する矢印方向）に直交する方向に、第１投光器Ｂ1aと、その投光器Ｂ1aに対向して該投光器Ｂ1aから発する光線を受光する第１受光器Ｂ1bとからなる第１通過検知部Ｂ1 と、その施設出入口内における施設外側に相当する位置に、第２投光器Ｂ2aと、その投光器Ｂ2aに対向して該投光器Ｂ2aから発する光線を受光する第２受光器Ｂ2bとからなる第２通過検知部Ｂ2 とにより構成されている。
【００２７】
本発明の要介護患者出入監視システムにおいては、図１に示すように必要に応じて、出入口内の適宜個所には、監視用のカメラＣ（ＣＣＤカメラ、テレビカメラ等）を設置することができる。
【００２８】
本発明の要介護患者出入監視システムは、施設の中に居る人が、その施設の出入口を通って施設の外側に出たり、施設の外に居る人が、その施設の出入口を通って施設の中に入ったりする際に、その施設が予め発行した通過許可証である通過タグＴを携帯した要介護患者本人、あるいはその通過タグＴを携帯した付添人を伴った要介護患者が、その出入口を通過した場合にのみ施設への出入りの通過許可を付与できるようにしたものである。
【００２９】
本発明の要介護患者出入監視システムにおける施設の出入口内に設置された前記通過検知手段Ｂについて説明すれば、まず、その出入口を通過する通行人が居ない場合には、第１通過検知部Ｂ1 と第２通過検知部Ｂ2 は、第１通過検知部Ｂ1 の第１投光器Ｂ1aと第１受光器Ｂ1bとの間、及び第２通過検知部Ｂ2 の第２投光器Ｂ2aと第２受光器Ｂ2bとの間で、継続的に投受光している光線の遮断は発生しない。そのため第１通過検知部Ｂ1 の第１受光器Ｂ1bは、継続受光しているため、通過（異常）検知信号（信号１）は発信されず、常に不通過（正常）検知信号（信号０）を発信している。一方、第２通過検知部Ｂ2 の第２受光器Ｂ2bも、継続受光しているため、通過（異常）検知信号（信号１）は発信されず、常に不通過（正常）検知信号（信号０）を発信している。
【００３０】
例えば、要介護患者を含めて施設内に居る人が、その施設の出入口内の前記通過検知手段Ｂ（第１、第２通過検知部Ｂ1 、Ｂ2 ）を通過して施設の外側に外出した場合には、先ず、施設内側方向に配置されている前記第１通過検知部Ｂ1 の第１投光器Ｂ1aから継続的に発している光線が、その通過した人により一旦遮断されて、対向する第１受光器Ｂ1bにより継続受光している光線が一旦遮断され、それを第１受光器Ｂ1bが光学的に検知して、通過（異常）検知信号（信号１）を発信する。続いて、施設外側方向に配置されている第
２通過検知部Ｂ2 の第２投光器Ｂ2aから継続発する光線は、その通過した人により一旦遮断されて、対向する第２受光器Ｂ2bにより光学的に検知して通過（異常）検知信号（信号１）を発信する。
【００３１】
また例えば、その施設の出入口内の前記通過検知手段Ｂ（第１、第２通過検知部Ｂ1 、Ａ2 ）を通過して施設の内側に入場した場合には、先ず、施設外側方向に配置されている第２通過検知部Ｂ2 の第２投光器Ｂ2aから継続発する光線は、その通過した人により一旦遮断されて、対向する第２受光器Ｂ2bにより光学的に検知して通過（異常）検知信号（信号１）を発信する。続いて、施設内側方向に配置されている前記第１通過検知部Ｂ1 の第１投光器Ｂ1aから継続的に発している光線が、その通過した人により一旦遮断されて、対向する第１受光器Ｂ1bにより継続受光している光線が一旦遮断され、それを第１受光器Ｂ1bが光学的に検知して、通過（異常）検知信号（信号１）を発信する。
【００３２】
施設の出入口を通過する人の通過方向の検出方式については、本発明においては特に限定されるものではないが、例えば、予め第１通過検知部Ｂ1 から発生する通過検知信号の固有コード信号ｓ1 と第２通過検知部Ｂ2 から発生した通過検知信号の固有コード信号ｓ2 とを設定しておき、両者の信号発生タイミングをカウントするタイマーを設けて、それぞれ第１通過検知部Ｂ1 からの検知信号の発生時刻のカウント値ｔ1 と、第２通過検知部Ｂ2 からの検知信号の発生時刻のカウント値ｔ2 とをカウント計測するものである。
【００３３】
そして、タイマーにより計測した第１通過検知部Ｂ1 の発生時刻カウント値ｔ1 と、第２通過検知部Ｂ2 の発生時刻カウント値ｔ2 との大小を比較する比較照合器（コンパレータ）を設けて、両者ｔ1 、ｔ2 を比較照合することにより下記のようにしてその通過方向を決定することができる。
【００３４】
ｔ1 ＜ｔ2 ・・・・・外出通過方向
ｔ1 ＞ｔ2 ・・・・・入場通過方向
本発明の要介護患者出入監視システムを、図２に示すシステムブロック図に基づいて以下に詳細に説明すれば、タグ検出手段Ａと、通過検知手段Ｂと、必要に応じて監視カメラＣを備え、前記タグ検出手段Ａは、該タグ検出手段Ａの検出動作を制御し、発信するタグ検出信号（通過許可信号）を入力するタグ検出部４に接続している。
【００３５】
前記通過検知手段Ｂは、その第１通過検知部Ｂ1 と第２通過検知部Ｂ2 とを制御動作し、その通過検知手段Ｂの第１通過検知部Ｂ1 と第２通過検知部Ｂ2 により発するそれぞれ通過検知信号をＡＮＤ回路に入力して、両信号の入力により通過確定信号を発信する（第１通過検知部Ｂ1 と第２通過検知部Ｂ2 のいずれか一方の通過検知信号の入力では通過確定信号を発信しない）通過検知部１と、第１通過検知部Ｂ1 と第２通過検知部Ｂ2 により発するそれぞれ通過検知信号の発生タイミングをカウントし、それぞれの発生時刻カウント値ｔ1 、ｔ2 を計測し、両カウント値ｔ1 、ｔ2 を比較照合して通過方向を検出する通過方向検出部２に接続され、該通過方向検出部２により検出された通過方向（外出、入場）を表示する出入表示器３を備えている。
【００３６】
前記通過検知部１とタグ検出部４は、それぞれが発信する通過検知信号とタグ検出信号とを入力して警報動作信号を発信するＮＡＮＤ回路８に接続され、該ＮＡＮＤ回路８と、前記通過検知手段Ｂの第１通過検知部Ｂ1 と第２通過検知部Ｂ2 とは、警報動作開始用ＡＮＤ回路９に接続している。そして該警報動作開始用ＡＮＤ回路９は、ＮＡＮＤ回路８から発信する警報動作信号（信号１）と、通過検知手段Ｂの第１通過検知部Ｂ1 又は第２通過検知部Ｂ2 のいずれかの通過検知信号（信号１）とを入力して警報動作開始信号を発信する。
【００３７】
本発明の監視システムにおいては、前記ＮＡＮＤ回路８とＡＮＤ回路９を介して異常通過発生を知らせる警報動作信号の発信時刻、及びその発信時刻からの経過時間を計測するタイマー手段や、計測された前記発信時刻及び経過時間を記録する記録手段や、前記発信時刻及び経過時間を施設名と共に関係部所に発信する発信手段等を備えるようにしてもよい。例えば、前記発信手段は、前記関係部所にネットワークを介して、無断外出警報等の異常警報発信時刻及びその経過時間や、無断外出者の関連情報を、無線、電話回線、インターネット等のネットワークを介して自動的に発信、伝達できるようにしてもよい。
【００３８】
例えば、前記警報動作開始用ＡＮＤ回路９は、ブザー等の警報用の鳴動を行って警報を発する警報器１０と、その警報発生時刻及びその発生後の経過時間を計測するタイマー１１に接続していて、該ＡＮＤ回路９から発信する警報動作開始信号により警報器１０が鳴動して、施設の出入口にて通過異常が発生したことを、その施設内の警備担当部所、管理担当部所や、その関係部所（出入口監視部門、患者捜索部門、無断外出・行方不明者捜索担当部所）などに知らせるものである。
【００３９】
本発明の要介護患者出入監視システムは、図１、図２に示すように必要に応じて、施設の出入口内に監視用カメラＣが設置される。該監視用カメラＣは、該カメラＣの撮影動作を制御し、撮影画像のデータ処理を行う画像処理部５に接続している。該画像処理部５は撮影画像を受像するディスプレイ画面（液晶方式、ＣＲＴ方式等の画面）による画像出力部６と、録画・再生部７に接続している。
【００４０】
次に、本発明の要介護患者出入監視・捜索情報提供システムを、以下に詳細に説明すれば、前述の要介護患者出入監視供システム（図１、図２参照）において、前記ＮＡＮＤ回路８及びＡＮＤ回路９を介して発信する異常通過発生を知らせる警報動作信号の発信時刻及びその発信時刻からの経過時間を計測するタイマー手段と、計測された前記発信時刻及び経過時間を記録する記録手段と、前記発信時刻及び経過時間を施設名と共に出入口監視部門及び患者捜索部門に発信する発信手段とを備えるものである。
【００４１】
前記発信手段は、前記患者捜索部門に対して、インターネット又は／及び電話回線等を介して、その発信時刻及び経過時間を発信するものである。また、施設の出入口内には、監視カメラＣを設置することが適当である。
【００４２】
本発明の出入監視・捜索情報提供システムにおいて、施設の出入口にて通過異常が発生した時点で、監視・捜索情報を関係部所に発信するための発信手段について図３に基づいて以下に説明すれば、医療施設Ｄ、介護施設Ｅ等の要介護患者を受け持つ各々施設の端末（パソコン等）は、インターネットＮ（あるいは、無線通信、電話回線等）を介して、無断外出した要介護患者の捜索協力部所Ｆや、警察など行方不明者捜索部所Ｇの端末（パソコン等）と通信接続可能となっているものである。
【００４３】
次に本発明の要介護患者出入監視システム及び出入監視・捜索情報提供システムを、図４〜図８に示すシステムブロック図に基づいて以下に詳細に説明する。
【００４４】
通過タグＴを携帯していない要介護患者、付添人、外来者、一般人などの通過タグ不携帯者が、無断で施設の出入口を通って施設外に出た時のシステム動作について、図４に基づいて以下に説明する。
【００４５】
＜ステップ１（Ｓ１）＞
要介護患者、付添人、外来者、一般人など通過タグ不携帯者が無断で、医療施設の出入口に設置されている監視装置のタグ検出手段Ａを通り、通過検知手段Ｂを、その第１通過検知部Ｂ1 から第２通過検知部Ｂ2 の順で通過して施設の外に出る。
【００４６】
＜ステップ２（Ｓ２）＞
出入口に設置されたタグ検出手段Ａは通過タグ不携帯者の通過タグＴを検出しない。
【００４７】
また、出入口に設置された通過検知手段Ｂの第１通過検知部Ｂ1 と第２通過検知部Ｂ2 は、通過タグ不携帯者の通過を検知して、それぞれ通過検知信号（信号１、１）が発信され、通過検知部１のＡＮＤ回路（通過検知部１に内蔵、図示せず）に入力される。
【００４８】
一方、前記通過検知部１は、前記第１通過検知部Ｂ1 と第２通過検知部Ｂ2 のそれぞれが発信する前記通過検知信号を通過方向検出部２に入力し、通過方向検出部２は通過検知信号の発生時刻の計測によりカウントされるそれぞれ検知部Ｂ1 のカウント値ｔ1 と検知部Ｂ2 のカウントｔ2 との大小を、通過方向検出部２に内装する比較照合部（コンパレータ）にて比較して、ｔ1 ＜ｔ2 を確認し、通過方向が施設内から外への［外出通過方向］であることを検出する。他方、監視カメラＣは通過した通行人（要介護患者）をビデオ撮影し、撮影された画像データは画像処理部５に入力される。
【００４９】
＜ステップ３（Ｓ３）＞
通過検知部１は、第１通過検知部Ｂ1 と第２通過検知部Ｂ2 からのそれぞれ通過検知信号（信号１、１）の入力により通過確定信号（信号１）を発信する。一方、タグ検出手段Ａは、要介護患者や付添人など一般人が通過タグ不携帯者であるために通過タグＴを検出せず、タグ検出部４は通過タグ検出信号を発信しない（通過タグ不検出信号、信号０を発信する）。また、監視カメラＣから画像処理部５に入力した撮影画像データは、施設内の管理部門や監視部門に設置された画像出力部６により撮影画像が出力表示され、録画部７により録画される。
【００５０】
＜ステップ４（Ｓ４）＞
タグ検出手段Ａのタグ検出部４により発進される通過タグ不検出信号（信号０）と、通過検知手段Ｂの通過検知部１から発信される通過確定信号（信号１）がＮＡＮＤ回路８に入力する。
【００５１】
＜ステップ５（Ｓ５）＞
ステップ２にて通過方向検出部２により検出された通過方向が施設内から外への［外出通過方向］であることを知らせる検出データが、出入表示器３により［外出通過方向］としてディスプレイ表示される。
【００５２】
＜ステップ６（Ｓ６）＞
ＮＡＮＤ回路８は、通過検知部１から発信された通過確定信号（信号１）とタグ検出手段Ａから発信された通過タグ不検出信号（信号０）により、警報信号（信号１）を発信する。
【００５３】
＜ステップ７（Ｓ７）＞
ステップ６にてＮＡＮＤ回路８から発信された警報信号（信号１）と、ステップ２にて第１通過検知部Ｂ1 又は／及び第２通過検知部Ｂ2 により発信された通過タグ不携帯者の通過検知信号（信号１）がＡＮＤ回路９に入力して、該ＡＮＤ回路９は警報確定信号（信号１）を、施設内（施設内の各部所、施設外の関連部所）に設置された警報器１０に入力して、該警報器１０は警報の鳴動動作を行い、施設内の各部所や施設内外の関連部所に、要介護患者、付添人、外来者、一般人など通過タグ不携帯者である無断外出者の発生を知らせる。また警報確定信号（信号１）はタイマー１１に入力して、警報発生時刻、発生後の経過時間を計測する。
【００５４】
なお第１通過検知部Ｂ1 側又は第２通過検知部Ｂ2 から施設の出入口内に要介護患者、付添人、外来者、一般人などの人が全く入らない場合は、第１通過検知部Ｂ1 又は第２通過検知部Ｂ2 より通過検知信号（信号１）が発信されないため、この時点で、前記警報信号（信号１）と第１通過検知部Ｂ1 又は第２通過検知部Ｂ2 からの不通過検知信号（信号０）がＡＮＤ回路９に入力して、該ＡＮＤ回路９は非警報確定信号（信号０）を警報器１０に発信し、警報器１０、タイマー１１を不動作にして警報を発しない。
【００５５】
次に通過タグＴを携帯していない要介護患者、付添人、外来者など一般人の通過タグ不携帯者が、無断で施設の出入口を通って施設内に入った時のシステム動作について、図５に基づいて以下に説明する。
【００５６】
＜ステップ１（Ｓ１）＞
要介護患者、付添人、外来者、一般人など通過タグ不携帯者が無断で、医療施設の出入口に設置されている監視装置のタグ検出手段Ａを通り、通過検知手段Ｂを、その第２通過検知部Ｂ2 から第１通過検知部Ｂ1 の順で通過して施設の中に入る。
【００５７】
＜ステップ２（Ｓ２）＞
出入口に設置されたタグ検出手段Ａは通過タグ不携帯者の通過タグＴを検出しない。
【００５８】
また、出入口に設置された通過検知手段Ｂの第１通過検知部Ｂ1 と第２通過検知部Ｂ2 は、通過タグ不携帯者の通過を検知して、それぞれ通過検知信号（信号１、１）が発信され、通過検知部１のＡＮＤ回路（通過検知部１に内蔵、図示せず）に入力される。
【００５９】
一方、前記通過検知部１は、前記第１通過検知部Ｂ1 と第２通過検知部Ｂ2 のそれぞれが発信する前記通過検知信号を通過方向検出部２に入力し、通過方向検出部２は通過検知信号の発生時刻の計測によりカウントされるそれぞれ検知部Ｂ1 のカウント値ｔ1 と検知部Ｂ2 のカウントｔ2 との大小を、通過方向検出部２に内装する比較照合部（コンパレータ）にて比較して、ｔ1 ＞ｔ2 を確認し、通過方向が施設外から内への［入場通過方向］であることを検出する。他方、監視カメラＣは通過した通行人（要介護患者）をビデオ撮影し、撮影された画像データは画像処理部５に入力される。
【００６０】
＜ステップ３（Ｓ３）＞
タグ検出手段Ａは、要介護患者や付添人など一般人が通過タグ不携帯者であるために通過タグＴを検出せず、タグ検出部４は通過タグ検出信号を発信しない（通過タグ不検出信号、信号０を発信する）。一方、通過検知部１は、第１通過検知部Ｂ1 と第２通過検知部Ｂ2 からのそれぞれ通過検知信号（信号１、１）の入力により通過確定信号（信号１）を発信する。また、監視カメラＣから画像処理部５に入力した撮影画像データは、施設内の管理部門や監視部門に設置された画像出力部６により撮影画像が出力表示され、録画部７により録画される。
【００６１】
＜ステップ４（Ｓ４）＞
タグ検出手段Ａのタグ検出部４により発進される通過タグ不検出信号（信号０）と、通過検知手段Ｂの通過検知部１から発信される通過確定信号（信号１）がＮＡＮＤ回路８に入力する。
【００６２】
＜ステップ５（Ｓ５）＞
ステップ２にて通過方向検出部２により検出された通過方向が施設外から内への［入場通過方向］であることを知らせる検出データが、出入表示器３により［入場通過方向］としてディスプレイ表示される。
【００６３】
＜ステップ６（Ｓ６）＞
ＮＡＮＤ回路８は、通過検知部１から発信された通過確定信号（信号１）とタグ検出手段Ａから発信された通過タグ不検出信号（信号０）により、警報信号（信号１）を発信する。
【００６４】
＜ステップ７（Ｓ７）＞
ステップ６にてＮＡＮＤ回路８から発信された警報信号（信号１）と、ステップ２にて第１通過検知部Ｂ1 又は／及び第２通過検知部Ｂ2 により発信された通過タグ不携帯者の通過検知信号（信号１）がＡＮＤ回路９に入力して、該ＡＮＤ回路９は警報確定信号（信号１）を、施設内（施設内の各部所、施設外の関連部所）に設置された警報器１０に入力して、該警報器１０は警報の鳴動動作を行い、施設内の各部所や施設内外の関連部所に、要介護患者、付添人、外来者、一般人など通過タグ不携帯者である無断入場者の発生を知らせる。また警報確定信号（信号１）はタイマー１１に入力して、警報発生時刻、発生後の経過時間を計測する。
【００６５】
なお第１通過検知部Ｂ1 側又は第２通過検知部Ｂ2 から施設の出入口内に要介護患者、付添人、外来者、一般人などの人が全く入らない場合は、第１通過検知部Ｂ1 又は第２通過検知部Ｂ2 より通過検知信号（信号１）が発信されないため、この時点で、前記警報信号（信号１）と第１通過検知部Ｂ1 又は第２通過検知部Ｂ2 からの不通過検知信号（信号０）がＡＮＤ回路９に入力して、該ＡＮＤ回路９は非警報確定信号（信号０）を警報器１０に発信し、警報器１０、タイマー１１を不動作にして警報を発しない。
【００６６】
次に、通過タグＴを携帯していない要介護患者が、通過タグＴを携帯した付添人（その要介護患者の付添人）と共に施設の出入口を通って施設内から外に出た時のシステム動作について、図６に基づいて以下に説明する。
【００６７】
＜ステップ１（Ｓ１）＞
通過タグＴを携帯していない要介護患者が、通過タグＴを携帯した付添人（外来者、一般人）と共に、医療施設の出入口に設置されている監視装置のタグ検出手段Ａを通り、通過検知手段Ｂを、その第１通過検知部Ｂ1 から第２通過検知部Ｂ2 の順で通過して施設の外に出る。
【００６８】
＜ステップ２（Ｓ２）＞
出入口に設置されたタグ検出手段Ａは、付添人が携帯した通過タグＴを検出する。
【００６９】
また、出入口に設置された通過検知手段Ｂの第１通過検知部Ｂ1 と第２通過検知部Ｂ2 は、通過タグＴを携帯していない要介護患者と、通過タグＴを携帯した付添人との通過を検知して、それぞれ通過検知信号（信号１、１）が発信され、通過検知部１のＡＮＤ回路（通過検知部１に内蔵、図示せず）に入力される。
【００７０】
一方、前記通過検知部１は、前記第１通過検知部Ｂ1 と第２通過検知部Ｂ2 のそれぞれが発信する前記通過検知信号を通過方向検出部２に入力し、通過方向検出部２は通過検知信号の発生時刻の計測によりカウントされるそれぞれ検知部Ｂ2 のカウント値ｔ2 と検知部Ｂ1 のカウントｔ1 との大小を、通過方向検出部２に内装する比較照合部（コンパレータ）にて比較して、ｔ1 ＜ｔ2 を確認し、通過方向が施設内から外への［外出通過方向］であることを検出する。他方、監視カメラＣは通過した通行人（要介護患者）をビデオ撮影し、撮影された画像データは画像処理部５に入力される。
【００７１】
＜ステップ３（Ｓ３）＞
タグ検出手段Ａは、付添人が携帯する通過タグＴを検出して、タグ検出部４は通過タグ
検出信号を発信する（通過タグ検出信号、信号１を発信）。一方、通過検知部１は、第１通過検知部Ｂ1 と第２通過検知部Ｂ2 からのそれぞれ通過検知信号（信号１、１）の入力により通過確定信号（信号１）を発信する。また、監視カメラＣから画像処理部５に入力した撮影画像データは、施設内の管理部門や監視部門に設置された画像出力部６により撮影画像が出力表示され、録画部７により録画される。
【００７２】
＜ステップ４（Ｓ４）＞
タグ検出手段Ａのタグ検出部４から発信される通過タグ検出信号（信号１）と、通過検知手段Ｂの通過検知部１から発信される通過確定信号（信号１）がＮＡＮＤ回路８に入力する。
【００７３】
＜ステップ５（Ｓ５）＞
ステップ２にて通過方向検出部２により検出された通過方向が施設内から外への［外出通過方向］であることを知らせる検出データが、出入表示器３により［外出通過方向］としてディスプレイ表示される。
【００７４】
＜ステップ６（Ｓ６）＞
ＮＡＮＤ回路８は、通過検知部１から発信された通過確定信号（信号１）とタグ検出手段Ａから発信された通過タグ検出信号（信号１）により、非警報（通過許可）信号（信号０）を発信する。
【００７５】
＜ステップ７（Ｓ７）＞
ステップ６にてＮＡＮＤ回路８から発信された非警報（通過許可）信号（信号０）と、ステップ２にて第１通過検知部Ｂ1 又は／及び第２通過検知部Ｂ2 により発信された通過検知信号（信号１）がＡＮＤ回路９に入力して、該ＡＮＤ回路９は非警報確定信号（信号０）を、施設内（施設内の各部所、施設外の関連部所）に設置された警報器１０に入力して、該警報器１０の警報の鳴動動作を不作動にして外出通過を許可する。また、非警報確定信号（信号０）はタイマー１１に入力して、警報発生時刻、発生後の経過時間の計測を不動作とする。
【００７６】
なお、第１通過検知部Ｂ1 側、又は第２通過検知部Ｂ2 から施設の出入口内に要介護患者、付添人、外来者、一般人などの人が全く入らない場合は、第１通過検知部Ｂ1 又は第２通過検知部Ｂ2 より通過検知信号（信号１）が発信されないため、この時点で、前記非警報（通過許可）信号（信号０）と第１通過検知部Ｂ1 又は第２通過検知部Ｂ2 からの不通過検知信号（信号０）がＡＮＤ回路９に入力して、該ＡＮＤ回路９は非警報確定信号（信号０）を警報器１０に発信し、警報器１０、タイマー１１を不動作にして警報を発しない。
【００７７】
次に、通過タグＴを携帯していない要介護患者が、通過タグＴを携帯した付添人（その要介護患者の付添人）と共に施設の出入口を通って施設外から中に入った時のシステム動作について、図７に基づいて以下に説明する。
【００７８】
＜ステップ１（Ｓ１）＞
通過タグＴを携帯していない要介護患者が、通過タグＴを携帯した付添人（外来者、一般人）と共に、医療施設の出入口に設置されている監視装置のタグ検出手段Ａを通り、通過検知手段Ｂを、その第２通過検知部Ｂ2 から第１通過検知部Ｂ1 の順で通過して施設の中に入る。
【００７９】
＜ステップ２（Ｓ２）＞
出入口に設置されたタグ検出手段Ａは、付添人が携帯した通過タグＴを検出する。
【００８０】
また、出入口に設置された通過検知手段Ｂの第１通過検知部Ｂ1 と第２通過検知部Ｂ2 は、通過タグＴを携帯していない要介護患者と、通過タグＴを携帯した付添人との通過を検知して、それぞれ通過検知信号（信号１、１）が発信され、通過検知部１のＡＮＤ回路（通過検知部１に内蔵、図示せず）に入力される。
【００８１】
一方、前記通過検知部１は、前記第１通過検知部Ｂ1 と第２通過検知部Ｂ2 のそれぞれが発信する前記通過検知信号を通過方向検出部２に入力し、通過方向検出部２は通過検知信号の発生時刻の計測によりカウントされるそれぞれ検知部Ｂ2 のカウント値ｔ2 と検知部Ｂ1 のカウントｔ1 との大小を、通過方向検出部２に内装する比較照合部（コンパレータ）にて比較して、ｔ1 ＞ｔ2 を確認し、通過方向が施設外から内への［入場通過方向］であることを検出する。他方、監視カメラＣは通過した通行人（要介護患者）をビデオ撮影し、撮影された画像データは画像処理部５に入力される。
【００８２】
＜ステップ３（Ｓ３）＞
タグ検出手段Ａは、付添人が携帯する通過タグＴを検出して、タグ検出部４は通過タグ検出信号を発信する（通過タグ検出信号、信号１を発信）。一方、通過検知部１は、第１通過検知部Ｂ1 と第２通過検知部Ｂ2 からのそれぞれ通過検知信号（信号１、１）の入力により通過確定信号（信号１）を発信する。また、監視カメラＣから画像処理部５に入力した撮影画像データは、施設内の管理部門や監視部門に設置された画像出力部６により撮影画像が出力表示され、録画部７により録画される。
【００８３】
＜ステップ４（Ｓ４）＞
タグ検出手段Ａのタグ検出部４から発信される通過タグ検出信号（信号１）と、通過検知手段Ｂの通過検知部１から発信される通過確定信号（信号１）がＮＡＮＤ回路８に入力する。
【００８４】
＜ステップ５（Ｓ５）＞
ステップ２にて通過方向検出部２により検出された通過方向が施設外から中への［入場通過方向］であることを知らせる検出データが、出入表示器３により［入場通過方向］としてディスプレイ表示される。
【００８５】
＜ステップ６（Ｓ６）＞
ＮＡＮＤ回路８は、通過検知部１から発信された通過確定信号（信号１）とタグ検出手段Ａから発信された通過タグ検出信号（信号１）により、非警報（通過許可）信号（信号０）を発信する。
【００８６】
＜ステップ７（Ｓ７）＞
ステップ６にてＮＡＮＤ回路８から発信された非警報（通過許可）信号（信号０）と、ステップ２にて第１通過検知部Ｂ1 又は／及び第２通過検知部Ｂ2 により発信された通過検知信号（信号１）がＡＮＤ回路９に入力して、該ＡＮＤ回路９は非警報確定信号（信号０）を、施設内（施設内の各部所、施設外の関連部所）に設置された警報器１０に入力して、該警報器１０の警報の鳴動動作を不作動にして外出通過を許可する。また、非警報確定信号（信号０）はタイマー１１に入力して、警報発生時刻、発生後の経過時間の計測を不動作とする。
【００８７】
なお、第１通過検知部Ｂ1 側、又は第２通過検知部Ｂ2 から施設の出入口内に要介護患者、付添人、外来者、一般人などの人が全く入らない場合は、第１通過検知部Ｂ1 又は第２通過検知部Ｂ2 より通過検知信号（信号１）が発信されないため、この時点で、前記非警報（通過許可）信号（信号０）と第１通過検知部Ｂ1 又は第２通過検知部Ｂ2 からの不
通過検知信号（信号０）がＡＮＤ回路９に入力して、該ＡＮＤ回路９は非警報確定信号（信号０）を警報器１０に発信し、警報器１０、タイマー１１を不動作にして警報を発しない。
【００８８】
次に本発明の要介護患者出入監視・捜索情報提供システムを説明すれば、前述した本発明の要介護患者出入監視システムを利用して、医療施設や介護施設内から無断で要介護患者が外出した際に、捜索担当部所にその行方を捜索するために必要な情報を迅速に提供できるようにしたものである。
【００８９】
本発明の要介護患者出入監視・捜索情報提供システムは、例えば、図３のシステムブロック図に示すように、要介護患者を受け持つ医療施設Ｄ、介護施設Ｅと、無断外出した要介護患者を捜索する捜索協力部所Ｆ1 、捜索協力部所Ｆ2 、捜索協力部所Ｆ3 、・・・捜索協力部所Ｆn とは、インターネット、イクトラネット等のネットワークＮ、あるいは電話、無線等を介して、捜索情報の連絡網として接続している。
【００９０】
以下に本発明の要介護患者出入監視・捜索情報提供システムの一実施の形態について、図８に示すシステムフローチャート図に基づいて説明する。
【００９１】
＜ステップ１（Ｓ１）＞
本発明の要介護患者出入監視システムにより医療、介護施設内の警報器１０が作動して施設内に無断外出者が発生したことを知らせる警報が鳴動する。
【００９２】
＜ステップ２（Ｓ２）＞
施設の監視部門（管理部門）は、無断外出者（行方不明者）捜索担当部門に対して、要介護患者による無断外出の発生を電話、無線、Ｅメール（インターネット）、イントラネットなどのネットワーク回線などにて通報する。また、監視、管理部門は、無断外出者の捜索情報として氏名、年齢、性別、外見（外出時の服装、身長など）、発生時刻等を、電話、無線、Ｅメールにて連絡する。
【００９３】
＜ステップ３（Ｓ３）＞
無断外出者（行方不明者）捜索担当部門は、施設の監視部門（管理部門）からの無断外出者の発生、要介護患者の捜索情報を受信して、捜索を開始する。
【００９４】
＜ステップ４（Ｓ４）＞
無断外出者（行方不明者）捜索担当部門は、要介護患者の捜索開始、捜索結果等を施設の監視部門（管理部門）に、電話、無線、Ｅメール（インターネット）、イントラネットなどのネットワーク回線などにて連絡する。
【００９５】
＜ステップ５（Ｓ５）＞
無断外出者（行方不明者）捜索担当部門は、行方不明の要介護患者の発見により、施設の監視部門（管理部門）に要介護患者の発見、身柄確保の連絡と、身柄引き渡しについて電話、無線、Ｅメール（インターネット）、イントラネットなどのネットワーク回線などにて連絡をする。
【図面の簡単な説明】
【００９６】
【図１】本発明の要介護患者出入監視システムの一実施形態を説明する医療、介護施設の出入口の概要平面図。
【図２】本発明の要介護患者出入監視システムの一実施形態を説明するシステムブロック図。
【図３】本発明の要介護患者出入監視・捜索情報提供システムの一実施形態を説明するシステムブロック図。
【図４】本発明の要介護患者出入監視システムの一実施形態を説明するシステムフローチャート図。
【図５】本発明の要介護患者出入監視システムの一実施形態を説明するシステムフローチャート図。
【図６】本発明の要介護患者出入監視システムの一実施形態を説明するシステムフローチャート図。
【図７】本発明の要介護患者出入監視システムの一実施形態を説明するシステムフローチャート図。
【図８】本発明の要介護患者出入監視・捜索情報提供システムの一実施形態を説明するシステムフローチャート図。
【符号の説明】
【００９７】
Ａ…タグ検出手段
Ｂ…通過検知手段
Ｂ1 …第１通過検知部
Ｂ2 …第２通過検知部
Ｂ1a…第１投光器
Ｂ1b…第１受光器
Ｂ2a…第２投光器
Ｂ2b…第２受光器
Ｃ…監視用カメラ
Ｄ…医療施設
Ｅ…介護施設
Ｆ1 、Ｆ2 、Ｆ3 、・・・…捜索協力部所
Ｔ…通過タグ
１…通過検知部
２…通過方向検出部
３…出入表示器
４…タグ検出部
５…画像処理部
６…画像出力部
７…録画部
８…ＮＡＮＤ回路
９…ＡＮＤ回路
１０…警報器
１１…タイマー
【図１】
2008139982.tif 000003
【図２】
2008139982.tif 000004
【図３】
2008139982.tif 000005
【図４】
2008139982.tif 000006
【図５】
2008139982.tif 000007
【図６】
2008139982.tif 000008
【図７】
2008139982.tif 000009
【図８】
2008139982.tif 000010